(57)【特許請求の範囲】
【請求項１】
肥料を貯溜するホッパ(39)と、同ホッパ(39)中の肥料を計量して繰出す計量部(38)と、同計量部(38)を駆動する駆動軸(44)と、同駆動軸(44)と走行車体(B)のＰＴＯ軸との間に介設した施肥部駆動機構(F)とを具備する側条施肥機(E)において、
上記施肥部駆動機構(F)の一部に、変速用移動支点(49)を具備したリンク機構(L)と、ワンウエイクラッチ(45)とを設けて、同施肥部駆動機構(F)の出力回転数を変速可能とし、
上記リンク機構(L)の変速用移動支点(49)の移動を、電動のモータ(M)により行うと共に、上記モータ(M)の作動を、走行速度の増減に略比例させて駆動軸(44)の回転数を増減させるべく制御することを特徴とする側条施肥機の施肥部駆動機構。
【発明の詳細な説明】
【０００１】
【発明の属する技術分野】
本発明は、側条施肥機の施肥部駆動機構に関する。
【０００２】
【従来の技術】
従来、ホッパ中に貯溜した肥料を計量部で計量しながら繰出し、圃場中を走行しながら植付けた苗等の側方に施肥するようにした側条施肥機があり、側条施肥機を駆動する駆動軸の回転数を調節して、施肥量を調節するようにしている。
【０００３】
【発明が解決しようとする課題】
ところが、上記駆動軸の回転数を調節するのに無段変速機等の変速手段を要し、構造が複雑になって価格的に不利になるという問題があり、
また、側条施肥機は一般に走行車体の後部に搭載されており、そのため、上記変速手段を手動操作するのが困難であるという問題があり、更に、走行速度等の施肥量に影響を及ぼす要因の変化に即応することができず、施肥密度にムラが生ずるという問題がある。
【０００４】
【課題を解決するための手段】
そこで、本発明は、肥料を貯溜するホッパと、同ホッパ中の肥料を計量して繰出す計量部と、同計量部を駆動する駆動軸と、同駆動軸と走行車体のＰＴＯ軸との間に介設した施肥部駆動機構とを具備する側条施肥機において、上記施肥部駆動機構の一部に、変速用移動支点を具備したリンク機構と、ワンウエイクラッチとを設けて、同施肥部駆動機構の出力回転数を変速可能とし、上記リンク機構の変速用移動支点の移動を、電動のモータにより行うと共に、上記モータの作動を、走行速度の増減に略比例させて駆動軸の回転数を増減させるべく制御することを特徴とする側条施肥機の施肥部駆動機構を提供するものである。
【０００８】
【発明の実施の形態】
本実施例では、ホッパの下方に計量部を配置し、同計量部を施肥部駆動機構の駆動軸に連動連結し、同駆動軸と走行車体のＰＴＯ軸とを、リンク機構とワンウエイクラッチとを介して連動連結し、上記リンク機構の変速用移動支点の１個を螺杆を介して電動モータに連動連結し、同モータの出力により変速用移動支点の位置を移動させてリンク機構の出力ストロークを変更し、同ストロークの変更により駆動軸の回転数を変更するようにしている。
【０００９】
また、上記モータを制御部を介し走行速度センサに接続して、走行速度に略比例させて施肥量を増減させるようにしている。
【００１０】
【実施例】
本発明の実施例について図面を参照して説明する。
【００１１】
図１は、本発明に係る側条施肥機の施肥部駆動機構Ｆを具備する乗用田植機Ａを示しており、同乗用田植機Ａは、自走可能の走行車体Ｂの後方に、三点リンク機構Ｃを介し昇降及び左右傾動自在に植付装置Ｄを連結して乗用田植機Ａを構成し、側条施肥機Ｅは、上記走行車体Ｂの後部上方に施肥部本体30を載設し、植付装置Ｄの各フロートの側面に作溝器41を取付けて、施肥部本体30で計量した肥料を作溝器41を空気搬送して、作溝器41が形成した施肥溝中に投入するようにしている。
【００１２】
走行車体Ｂは、車体フレーム１の前部左右側に、それぞれ左右前車輪２を操向回動自在に装着し、同車体フレーム１の後部左右側に、それぞれ左右後車輪３を装着し、車体フレーム１の上面には、前方から、原動機部４、運転部５、座席６、昇降機構７、植付装置Ｄを連結するための車体側ヒッチ８を上記の順で配設し、原動機部４からの動力を、無段変速機９、ミッションケース10及び前後デフケース11,12 を介し左右前後車輪2,3 に伝達し、運転部５に立設したステアリングホイル13の回動操作によって左右前車輪２を操舵するようにしている。
【００１３】
三点リンク機構Ｃは、トップリンク14と左右ロアリンク15とで構成されており、トップリンク14と左右ロアリンク15の前端を前記車体側ヒッチ８の後面に回動自在に枢着し、同後端を植付側ヒッチ16に回動自在に枢着して平行リンク機構を構成しており、車体側ヒッチ８に配置した昇降機構（図示せず）により、植付装置Ｄを昇降させるようにしている。図中、19は予備苗台である。
【００１４】
植付装置Ｄは、前記植付側ヒッチ16に、前後方向に伸延した枢軸21を介し、植付部フレームを兼ねる伝動ケース22を左右傾動自在に枢着し、同伝動ケース22の上方に前高後低に傾斜した苗載台23を配置し、同苗載台23の下端縁近傍に伝動ケース22で駆動される植付爪24を配設して、同植付爪24の回動により、苗載台23に載置した苗を田面に植付けるように構成している。
【００１５】
また、本実施例では、８条分の植付装置の側方に２条分の植付装置を折畳み可能に付設して１０条の植付装置Ｄを構成しており、２条分の植付装置を側方に張出し状に拡開し１０条の植付作業を可能とし、２条分の植付装置を折畳み収納して移動時の便をはかっている。
【００１６】
また、上記植付側ヒッチ16の上面から上方に延出したステー25と苗載台23との間に左右傾斜シリンダ26を介設して、同左右傾斜シリンダ26の伸縮作動により、走行車体Ｂに対して植付装置Ｄを左右傾斜させるようにしている。図中、27はセンタフロート、28はサイドフロートである。
【００１７】
側条施肥機Ｅは、１０条の側条施肥を可能に構成されており、図１及び図２で示すように、前記車体側ヒッチ８の上面に左右方向に伸延した８個の施肥部本体30を搭載した主フレーム31を載設し、同主フレーム31の右側端部前側縁に、左右方向に伸延した長孔33を形成し、同長孔33に上下方向に伸延した枢軸34を挿通し、同枢軸34に、２個の施肥部本体30を搭載した副フレーム32の左側端部前端縁を回動自在に枢着し、同副フレーム32を前方向に回動しながら内側方向に摺動して、前方向に折畳み可能としており、同副フレーム32を側方に拡開して１０条分の側条施肥を可能とし、同副フレーム32を前方内側に収納して移動及び格納を容易にしている。
【００１８】
また、主フレーム31の外側端に、上下方向に伸延した回動軸35を介してブロワ36を前方向に回動自在に取付けると共に、副フレーム32の外側端にブロワ36を固着して、各ブロワ36,36 を、ゴムや軟質プラスチック等の伸縮及び屈折可能の柔軟素材にて形成した送風パイプ37を介し、各施肥部本体30の計量部38の下部に連通している。
【００１９】
各施肥部本体30は、図３で示すように、略漏斗状のホッパ39の下端に計量部38を連設し、同計量部38の下端に施肥ホース40の上端を連設し、同施肥ホース40の下端に作溝器41を接続し、上記計量部38にブロワ36に連通した送風パイプ37を接続すると共に、走行車体ＢのＰＴＯ軸に施肥部駆動機構Ｆを介し、上記計量部38を駆動する駆動軸44を連動連結し、計量部38で、ホッパ39中に貯溜した肥料を、駆動軸44の回転数に略比例した量だけ計量して繰出し、繰出された肥料を、送風パイプ37を介して送給されるブロワ36からの搬送風に乗せて、施肥ホース40を介して作溝器41に送給するようにしている。
【００２０】
上記施肥部駆動機構Ｆは、走行車体ＢのＰＴＯ軸に連動連結したリンク機構Ｌと、同リンク機構Ｌと駆動軸44との間に介在するワンウエイクラッチ45とで構成されている。
【００２１】
上記リンク機構Ｌは、入力リンク片46と出力リンク片47と遊動リンク片48とで構成されており、入力リンク片46の一端を後述する変速用移動支点49に回動自在に枢着し、他端に遊動リンク片48の下端を回動自在に枢着し、同遊動リンク片48の上端を出力リンク片47の後端に回動自在に枢着し、同出力リンク片47の前端を施肥部フレーム50に軸支した連動軸51の一端に固着し、同連動軸51の他端に連動レバー52を固着し、同連動レバー52の先端を連動杆53を介して前記ワンウエイクラッチ45のケーシングに突設した連動アーム54に連動連結している。
【００２２】
そして、上記入力リンク片46の中途に連結杆55の上端を回動自在に枢着し、同連結杆55の下端を前記ＰＴＯ軸に連動連結したクランク56に回動自在に枢着して、クランク56から伝達される往復運動をリンク機構Ｌで往復揺動運動に変換して連動レバー52から出力させ、この往復揺動運動をワンウエイクラッチ45で一方向間欠回転運動に変換して駆動軸44に伝達するようにし、しかも、リンク機構Ｌの変速用移動支点49の位置を移動させて、出力リンク片47の出力ストロークを変化させることにより、駆動軸44の回転数を無段階に変更するようにしている。
【００２３】
上記変速用移動支点49は、略く字形状に屈折した支点支持アーム57の先端に設けられており、同支点支持アーム57の中途部に形成したボス部58を施肥部フレーム50に突設した枢軸59に回動自在に嵌着し、同支点支持アーム57の基端をクレビスピン60に回動自在に枢着し、同クレビスピン60を螺杆61に螺動自在に螺着し、同螺杆61を電動のモータＭに連結している。図中、62は上記螺杆61を傾動自在に支持する支持部材、63はモータＭの支持部材を兼ねる目盛板、64は指針である。
【００２４】
図４中、65は制御部を示しており、制御部65の入力側に走行速度を検出する速度センサ66を接続し、出力側にパワリレー67を介してモータＭを接続している。図中、68は手動制御スイッチ、69は手動・自動切換スイッチ、70は電源、71はグランドである。
【００２５】
かかる構成によって、モータＭが回動すると、クレビスピン60が略前後方向に移動し、変速用移動支点49が枢軸59を中心とした円弧上を略上下方向に移動し、主として連結杆55と入力リンク片46間の運動伝達の関係が変化し、出力リンク片47の出力ストロークが変化するので、クランク56の１回転に対する駆動軸44の回動角度が変化して、施肥部駆動機構Ｆに無段階変速を行わせることができる。
【００２６】
このように、駆動軸44を無段階に変速できるので、施肥量を無段階に調節して、最適量の側条施肥を行うことができる。
【００２７】
また、上記施肥量の調節が手動制御スイッチ68のＯＮ・ＯＦＦにより、電動のモータＭを介して行われるので、施肥量調節操作が容易になる。
【００２８】
更に、速度センサ66の検出値を制御部65で処理してモータＭの作動を制御することにより、圃場への施肥量に影響を及ぼす要因の一つである走行速度の増減に略比例して駆動軸44の回転数を増減させて、走行速度が変化しても、自動的に一定の施肥密度を保持することができる。
【００２９】
更には、圃場への施肥量に影響を及ぼす他の要因、例えば、前記施肥ホース40に通過する肥料の重量を検出するセンサや、駆動軸44の回転数を検出するセンサを設け、これらのセンサの出力に基づきモータＭの作動を制御して、自動的に施肥量を最適に保持することもできる。
【００３０】
【発明の効果】
本発明によれば次のような効果を得ることができる。
【００３１】
すなわち、本発明では、肥料を貯溜するホッパと、同ホッパ中の肥料を計量して繰出す計量部と、同計量部を駆動する駆動軸と、同駆動軸と走行車体のＰＴＯ軸との間に介設した施肥部駆動機構とを具備する側条施肥機において、上記施肥部駆動機構の一部に、変速用移動支点を具備したリンク機構と、ワンウエイクラッチとを設けて、同施肥部駆動機構の出力回転数を変速可能としているため、簡単な構造でありながら，施肥量を無段階に調節することができる。
【００３２】
しかも、上記リンク機構の変速用移動支点の移動を、電動のモータにより行うようにしているため、施肥量調節操作を容易にすることができる。
【００３３】
さらには、上記モータの作動を、走行速度の増減に略比例させて駆動軸の回転数を増減させるべく制御するようにしているため、走行速度が変化しても、自動的に一定の施肥密度を保持することができる。
【図面の簡単な説明】
【図１】本発明に係る側条施肥機の施肥部駆動機構を具備する乗用田植機の側面図。
【図２】施肥機の平面図。
【図３】施肥部本体の側面図。
【図４】制御部の構成を示す説明図。
【符号の説明】
Ｅ  側条施肥機
Ｆ  施肥部駆動機構
Ｌ  リンク機構
Ｍ  モータ
38  計量部
39  ホッパ
45  ワンウエイクラッチ
49  変速用移動支点
【図１】
0003641102.tif 000002
【図２】
0003641102.tif 000003
【図３】
0003641102.tif 000004
【図４】
0003641102.tif 000005